(57)【特許請求の範囲】
【請求項１】
建築物の上階と下階とに掛け渡された１本の桁に間隔をおいて複数の踏板を設け、少なくとも一側部を開放した階段において、
上部踏板の張り出し側の先端部と下部踏板の基部とを支持部材で支持するとともに、当該支持部材は、上部踏板の先端部に固定される上部固定部と、下部踏板の基部に固定される下部固定部と、これら上部固定部と下部固定部との間に設けられた柱部とを一体に結合してなることを特徴とする階段。
【請求項２】
上記上部固定部と下部固定部には、それぞれ柱部に連結する連結部と、上部踏板の先端部と下部踏板の基部とに当接する当接部とを設けたことを特徴とする、請求項１に記載の階段。
【請求項３】
下部固定部の当接部には、下部踏板の基部の端面に当接する垂直当接部を形成し、該垂直当接部を下部踏板の基部の端面に固定手段を介して固定したことを特徴とする、請求項２に記載の階段。
【請求項４】
上記上部固定部の当接部を上部踏板の前端部に沿わせ、上部踏板に当接部を固定する固定手段を上部踏板の先端部の近傍に打ち込むようにしたことを特徴とする、請求項２に記載の階段。
【請求項５】
支持部材は、上部踏板と下部踏板の長手方向の少なくとも一側部に配置されていることを特徴とする、請求項１〜４のいずれかに記載の階段。
【請求項６】
支持部材の上部固定部と下部固定部と柱部とを互いに個別に構成するとともに、柱部をアルミニウムの押出型材としたことを特徴とする、請求項１〜５のいずれかに記載の階段。
【請求項７】
支持部材を略コ字状に形成したことを特徴とする、請求項１〜６のいずれかに記載の階段。
【請求項８】
上部固定部の当接部の挿通孔は、上側が上部踏板の先端部に近く、下側が当該先端部から遠くなるように斜めに形成されていることを特徴とする、請求項１〜７のいずれかに記載の階段。
【請求項９】
下部の踏板が上部の昇降方向に対して曲るように配置されているとともに、支持柱によって支持されていることを特徴とする、請求項１〜８のいずれかに記載の階段。
【請求項１０】
全ての踏板がストレートに配置され、最下部の踏板と床面との間にも上記支持部材と同じ構成の支持部材が設けられていることを特徴とする、請求項１〜８のいずれかに記載の階段。
【発明の詳細な説明】
【技術分野】
【０００１】
本発明は、建築物の上階と下階とに掛け渡された桁に間隔をおいて複数の踏板を設け、少なくとも一側部を開放した階段に関する。
【背景技術】
【０００２】
建築物の上階と下階とを連絡する室内階段にはいろいろな構造のものが知られているが、桁の上に踏板受け材を固定し、踏板受け材上に踏板を支持させただけの階段は、構造が単純でデザインがシンプルになるため、人気が高い。また、必要とされる桁数や部品点数の削減、施工の簡素化などの面でコストが低く抑えられ、有利である（特許文献１参照）。
【０００３】
ところが、この種の階段は、少なくとも片側が開放されているので、踏板の両端又は一端は支持がない状態となっている。このため、踏板が階段を使用する人の体重が加わると、左右に撓みやすく、また踏板と桁の接合部分に応力が集中しやすいという問題があった。そのため、上下の踏板を支持材で連結支持する構造が採用されている（特許文献２参照）。
【先行技術文献】
【特許文献】
【０００４】
【特許文献１】特開２００５−３２０７７５号公報
【特許文献２】特開２０１０−１３９２５号公報
【発明の概要】
【発明が解決しようとする課題】
【０００５】
踏板間の支持材は踏板の端部に取り付けるようにすれば、踏板の補強効果が大きく、意匠的にもすっきりするが、特に壁際に階段を設置する場合は、連結材の作業スペースが確保しにくく、施工性に問題があった。さらに、踏板の側部に手摺を設ける場合、手摺柱の下端には方形のプレートが固定され、手摺柱の下端を踏板の側端に形成されて切り欠きに入れ込み、プレートを踏板の下面に当接して固定していた。このため、連結材を同じ側の端部に取り付ける際、連結材とプレートが相互に干渉しあうため、取り合いの問題が生じ、手摺柱の部分には支持材を取り付けることができないという問題もあった。また、階段は、階高に対応して踏板の段数、角度、蹴上げ、蹴込みなど、さまざまな条件に対応しなければならず、そのためには条件毎に支持材を複数種類準備しておく必要がある。例えば、蹴上げ高は階高と踏板の段数によって異なるから、上下の踏板間に設けられる支持材は、長さの異なるものを予め揃えておかなければならない。したがって、コスト高になるという欠点があった。
【０００６】
本発明は上記問題点を解消し、踏板間の強度を確保でき、さまざまな蹴上げ高に対応することができるとともに、収まりもよく、材料や製造のコストを削減することができる階段を提供することをその課題とする。
【課題を解決するための手段】
【０００７】
上記課題を解決するため、請求項１に係る発明は、建築物の上階と下階とに掛け渡された１本の桁に間隔をおいて複数の踏板を設け、少なくとも一側部を開放した階段において、上部踏板の張り出し側の先端部と下部踏板の基部とを支持部材で支持するとともに、当該支持部材は、上部踏板の先端部に固定される上部固定部と、下部踏板の基部に固定される下部固定部と、これら上部固定部と下部固定部との間に設けられた柱部とを一体に結合してなることを特徴とする。
【０００８】
請求項２に係る発明は、請求項１において、上記上部固定部と下部固定部には、それぞれ柱部に連結する連結部と、上部踏板の先端部と下部踏板の基部とに当接する当接部とを設けたことを特徴とする。
【０００９】
請求項３に係る発明は、請求項２において、下部固定部の当接部には、下部踏板の基部の端面に当接する垂直当接部を形成し、該垂直当接部を下部踏板の基部の端面に固定手段を介して固定したことを特徴とする。
【００１０】
請求項４に係る発明は、請求項２において、上記上部固定部の当接部を上部踏板の前端部に沿わせ、上部踏板に当接部を固定する固定手段を上部踏板の先端部の近傍に打ち込むことを特徴とする。
【００１１】
請求項５に係る発明は、請求項１〜４のいずれかにおいて、支持部材は、上部踏板と下部踏板の長手方向の少なくとも一側部に配置されていることを特徴とする。
【００１２】
請求項６に係る発明は、請求項１〜５のいずれかにおいて、支持部材の上部固定部と下部固定部と柱部とを互いに個別に構成するとともに、柱部をアルミニウムの押出型材としたことを特徴とする。
【００１３】
請求項７に係る発明は、請求項１〜６のいずれかにおいて、支持部材を略コ字状に形成したことを特徴とする。
【００１４】
請求項８に係る発明は、請求項１〜７のいずれかにおいて、上部固定部の当接部の挿通孔は、上側が上部踏板の先端部に近く、下側が当該先端部から遠くなるように斜めに形成されていることを特徴とする。
【００１５】
請求項９に係る発明は、請求項１〜８のいずれかにおいて、下部の踏板が上部の昇降方向に対して曲るように配置されているとともに、支持柱によって支持されていることを特徴とする。
【００１６】
請求項１０に係る発明は、請求項１〜８のいずれかにおいて、全ての踏板がストレートに配置され、最下部の踏板と床面との間にも上記支持部材と同じ構成の支持部材が設けられていることを特徴とする。
【発明の効果】
【００１７】
請求項１に係る発明によれば、上部踏板と下部踏板の少なくとも一側部が開放されていても、これらの踏板は支持部材によって支持されているから、上下の踏板間の強度を確保でき、踏板を支持する桁が１本であっても、踏板に荷重が加わった場合にねじれ等の変形が発生せず、安定に支持することができる。また、上り下りする際に変形による不安感もない。支持部材は上部踏板の先端部に形成される上部固定部と、下部踏板の基部に形成される下部固定部と、これら上部固定部と下部固定部との間に設けられた柱部とを一体に結合してなるものであるから、柱部を切断して長さを調整することによって、さまざまな蹴上げ高に対応することができ、収まりもよく、必要最小限の部材によって構成されるので、材料や製造のコストを削減することができる。
【００１８】
請求項２に係る発明によれば、上部固定部と下部固定部には、それぞれ柱部に連結する連結部と、上部踏板の先端部と下部踏板の基部とに当接する当接部とを設けたから、支持部材は踏板の内側に納まり、外側方に突出することがないので、外観がすっきりする。
【００１９】
請求項３に係る発明によれば、下部固定部の当接部には、下部踏板の基部の端面に当接する垂直当接部を形成し、該垂直当接部を下部踏板の基部の端面に固定手段を介して固定したので、支持部材の位置決めを容易確実に行うことができるとともに、垂直当接部から下部踏板の基部の端面に向けてビス等の固定手段を水平に打ち込んで固定することができるので、支持部材の固定作業を容易に行うことができる。
【００２０】
請求項４に係る発明によれば、上記上部固定部の当接部を上部踏板の前端部に沿わせ、上部踏板に当接部を固定する固定手段を上部踏板の先端部の近傍に打ち込むので、狭い場所でも容易に施工でき、踏板に手摺のプレートがあるような場合でも、プレートに干渉するようなことがない。
【００２１】
請求項５に係る発明によれば、支持部材は、上部踏板と下部踏板の長手方向の少なくとも一側部に配置されているので、下部踏板の踏み面の中央側に足を乗せたときに、足先に支持部材がぶつかるおそれはほとんどない。したがって、安全に上り下りすることができる。
【００２２】
請求項６に係る発明によれば、支持部材の上部固定部と下部固定部と柱部とを互いに個別に構成するとともに、柱部をアルミニウムの押出型材としたので、上下部の踏板間の支持強度を確保することができるとともに、柱部は切り詰め加工しやすく、その長さ調整を容易に行うことができる。
【００２３】
請求項７に係る発明によれば、支持部材を略コ字状に形成したので、柱部を上下部の踏板の端部にラインが揃った状態で配置することができ、意匠性がよい。
【００２４】
請求項８に係る発明によれば、上部固定部の当接部の挿通孔は、上側が上部踏板の先端部に近く、下側が当該先端部から遠くなるように斜めに形成されているので、固定手段を上記挿通孔に挿通させる場合、階段の下側（裏側）から斜めに挿通させることができ、ビス止め作業を容易に行うことができる。
【００２５】
請求項９に係る発明によれば、下部の踏板が上部の昇降方向に対して曲るように配置されているとともに、支持柱によって支持されているので、支持部材は上下位の踏板を介して他の全ての支持部材と連結され、下部は支持柱によって支持されているので、１つの踏板に加わる荷重はその上下方の全ての支持部材と支持柱とに分散される。このように、1つの踏板に加わる荷重を全ての支持部材と支持柱とで支持する構造であるから、上下の踏板間の強度を十分に確保することができる。
【００２６】
請求項１０に係る発明によれば、全ての踏板がストレートに配置され、最下部の踏板と床面との間にも同じ構成の支持部材が設けられているので、１つの踏板に加わる荷重はその上下方の全ての支持部材に分散される。このように、1つの踏板に加わる荷重を全ての支持部材で支持する構造であるから、上下の踏板間の強度を十分に確保することができる。
【図面の簡単な説明】
【００２７】
【図１】本発明に係る下曲りタイプの階段の斜視図
【図２】上記階段の側面図
【図３】図２の一部の拡大図
【図４】支持部材の取付態様を示す側面図
【図５】上記階段の一部の正面図
【図６】支持部材の取付態様を示す斜視図
【図７】支持部材の分解斜視図
【図８】（ａ）（ｂ）は上部固定部の底面図及び（ａ）のＸ−Ｘ線上の断面図
【図９】（ａ）（ｂ）はストレートタイプの階段の側面図及び正面図
【発明を実施するための形態】
【００２８】
図１は下曲りタイプの階段の斜視図、図２はその側面図である。これらの図において、階段は、建築物の上階と下階とに掛け渡された桁１と、桁１に間隔をおいて設けられた複数の踏板２とを備えたストレート部Ａと、ストレート部Ａの下部から踏板がストレート部Ａの昇降方向に対して略直角に曲がるように設けられた曲り部Ｂとから構成され、ストレート部Ａの一側には手摺３が設けられているが、踏板２の両側は壁等に支持されていない。階段は一側のみが壁等に支持されずに開放されていてもよい。
【００２９】
ストレート部Ａは、１本の桁１と、桁１に間隔をおいて設けられた複数の踏板２と、手摺３とから構成されている。桁１は２本でもよいが、その場合でも踏板２が桁１の外側方にはみ出すものとする。
【００３０】
桁１は断面が方形（断面が丸形でもよい）の中空の金属部材で、その上端は斜めに切断されて上下階間の壁体４に当接され、固定金具を介して固定されている。桁１の下端も斜めに切断されて下階の床面６に当接され、固定金具を介して固定されている。
【００３１】
桁１には、その上面の長手方向に沿って等間隔に踏板受け部材８が固定されている。ただし、最下段とその上の２段分については踏板受け部材８は設けられていない。
【００３２】
踏板受け部材８は、図３に示されるように、断面が台形の中空部材で、平行でない対辺部１０の角度は、桁１の上面と踏板２（水平）とのなす角度に設定されている。上記対辺部１０はそれぞれ桁１と踏板２とにビス止め固定されている。
【００３３】
踏板２は踏板受け部材８上に固定されているが、最下段の踏板２ｎを除いて長方形に形成されている。最下段の踏板２ｎの幅は、内側が狭く、外側は広い台形状に形成され、平行な対辺をなす外側縁と内側縁との間の幅寸法は、他の踏板２と同じに形成されている。
【００３４】
次に、曲り部Ｂは、ストレート部Ａの最下段の踏板２ｎに続く上下２段の踏板２ａ、２ｂによって構成され、これらの踏板２ａ、２ｂは、それぞれ下階の床面に支持柱１１、１２を介して支持されている。上部踏板２ａは剣先状に形成され、下部踏板２ｂは上記最下段の踏板２ｎと略対称となるように形成されている。曲り部Ｂは、ストレート部Ａに対して直角に曲がるように構成されている。
【００３５】
踏板２は木製でも合成樹脂製でも金属製でもよい。
【００３６】
支持柱１１、１２は中空部材で、その上端と下端はそれぞれ固定金具を介して下階の床面６と上下段の踏板２ａ、２ｂにそれぞれ固定されている。固定金具の詳細は省略するが、床面に固定される固定板の対辺部から固定爪を立ち上げ形成したもので、固定金具を支持柱１１、１２で覆い、固定爪を支持柱１１、１２の外側からビスで共締めすればよい。固定爪のみを支持柱１１、１２の外側に出し、固定爪と支持柱１１、１２とをビス止めしてもよい。桁の上下端を固定する固定金具も同様である。支持柱１１、１２は木製であってもよく、また断面は角形でも丸形でもよい。
【００３７】
また、ストレート部Ａの一側には手摺３が設けられている。この手摺３は、複数の踏板２の一端に立設された手摺柱１３と、手摺柱１３の上端に支持された手摺材１４と、手摺柱１３間のパネル１５とから構成されている。手摺柱１３の下端に設けられた固定プレート３２（図１参照）は踏板２の下面に固定されている。図４に示されるように、桁１の角度が大きくなると、手摺柱１３を設けた踏板２の先端と手摺３柱の側面との間の間隔が小さくなり、この間隔が手指が入る程度に小さくなるときは、この隙間にゴムやスポンジなどの詰め物５を充填するのが好ましい。
【００３８】
次に、ストレート部Ａと曲り部Ｂにおいて、上部踏板２ａの先端部３０とその下部踏板２ｂの基部３１は、真上から見たときに蹴込み部分が重なり合うように、つまり上部踏板２ａの先端部３０が下部踏板２ｂの基部３１よりも前方に突出するように設けられている。そして、上部踏板２の張り出し側の先端部３０と下部踏板２の基部３１との間に、つまり上下部の踏板２ａ、２ｂの蹴込み部に相当する部分には支持部材１６が設けられている。
【００３９】
なお、上部踏板２ａと下部踏板２ｂとは、相対的に上下の関係にある踏板を指すものとする。以下も同様である。
【００４０】
支持部材１６は、図４〜図７に示されるように、上部踏板２ａの先端部に形成された上部固定部１７と、下部踏板２ｂの基部に形成された下部固定部１８と、これら上部固定部１７と下部固定部１８との間に設けられた柱部１９とから構成されている。
【００４１】
上部固定部１７は、長方形の厚板状に形成され、一端側には２個のビス挿通孔２１、他端側に１個の連結用ビス挿通孔２２が形成された当接部２４と、当接部２４の他端側から垂下形成された断面略コ字形の連結部２５とから構成されている。
【００４２】
下部固定部１８は、上部固定部１７と略同じ大きさの厚板状の水平当接部２６と、水平当接部２６の一側端から垂下した垂直当接部２７と、水平当接部２６の一端から垂直に立ち上げ形成された断面コ字形の連結部２８とから構成されている。垂直当接部２７の一端側には２個の連結用ビス挿通孔２９が形成されている。他端側に１個の連結用ビス挿通孔２３が形成されている。
【００４３】
柱部１９は方形の筒状体で、内壁にはビスホール２０が形成されている。柱部１９の内部には上部固定部１７、下部固定部１８の連結部２５、２８が嵌合するように形成されている。
【００４４】
なお、支持部材１６は、図５に示されるように、踏板２の正面に正対したとき、向かって右側の支持部材１６は柱部１９の左側に上下部の固定部１７、１８が延び、向かって左側の支持部材１６は、柱部１９の右側に上下部の固定部１７、１８が延びるものの２種類が設けられている。各部の構成は基本的に同じである。そして、両支持部材１６の上部固定部１７の２個のビス挿通孔２１は、当接部２４の幅方向に傾くように斜めに形成されている。傾きの方向は、図８（ａ）（ｂ）に示されるように、ビス挿通孔２１は、その上側が上部踏板２ａの先端部に近く、下側が先端部から遠くなるように斜めに形成されている。支持部材１６を階段の一側にのみ設ける場合は、１種類だけでよいことはもちろんである。
【００４５】
上部固定部１７と下部固定部１８はアルミニウム等の金属や合成樹脂によって形成してもよいが、柱部１９はアルミニウムの押出型材によって形成するのが好ましい。
【００４６】
上記構成において、支持部材１６は、図７に示されるように、柱部１９の上端に上部固定部１７の連結部２５を嵌入するとともに、連結用ビス挿通孔２２から挿通したビスをビスホール２０にねじ込んで固定し、同様にして、柱部１９の下端に下部固定部１８の連結部２８を嵌入するとともに、連結用ビス挿通孔２３から挿通したビスをビスホール２０にねじ込んで固定することにより、全体として略コ字状となるように組み立てられている。
【００４７】
次に、上部踏板２ａと下部踏板２ｂとを支持部材１６で連結支持するにあたっては、支持部材１６は、上部踏板２ａと下部踏板２ｂの側端部に配置する。本実施態様では、図１及び図５等に示されるように、支持部材１６を上部踏板２ａと下部踏板２ｂの長手方向の両側に配置した態様であるが、一側部のみに配置する構成であってもよい。
【００４８】
まず、上部踏板２ａの先端部３０は下部踏板２ｂの基部３１よりも前方に突出するように設けられているので、図４及び図６に示されるように、上部踏板２ａの張り出し側の先端部３０と下部踏板２ｂの基部３１との間に支持部材１６を配置する。このとき、上部固定部１７の当接部２４は上部踏板２ａの上面の先端部に沿うように、下部固定部１８の水平当接部２６は下部踏板２ｂの上面の基部３１に沿うように配置する。また、下部踏板２ｂの垂直当接部２７は下部踏板２ｂの基部の端面に当接させる。そして、上部踏板２ａの当接部２４に形成された２個のビス挿通孔２１からビス７ａを矢印ｐで示す方向にねじ込み、同様に、下部踏板２ｂの垂直当接部２７に形成された２個のビス挿通孔２９からビス７ｂを矢印ｑで示す水平方向にねじ込んで固定する。曲り部Ｂの上下部踏板２ａ、２ｂはそれぞれ支持柱１１、１２によって支持されているので、特に支持部材を設ける必要はないが、設けてもよい。なお、支持部材１６の固定手段はビスに限定されない。釘、打ち込みネジ等であってもよい。
【００４９】
上述のように、上部踏板２ａと下部踏板２ｂの両側は開放されているが、これらの踏板２ａ、２ｂは支持部材１６によって支持されている。しかも、支持部材１６は上下位の踏板を介して他の全ての支持部材１６と連結され、下部は支持柱１１、１２によって支持されているので、１つの踏板に加わる荷重はその上下方の全ての支持部材１６と支持柱１１、１２に分散される。このように、1つの踏板に加わる荷重を全ての支持部材１６と支持柱１１、１２で支持する構造であるから、上下の踏板２間の強度を十分に確保でき、踏板２を支持する桁１が１本であっても、踏板２に荷重が加わった場合にねじれ等の変形が発生せず、安定に支持することができ、上り下りする際に変形による不安感もない。
【００５０】
支持部材１６は上部踏板２ａの先端部に形成される上部固定部１７と、下部踏板２ｂの基部に形成される下部固定部１８と、これら上部固定部１７と下部固定部１８との間に設けられた柱部１９とを一体に結合してなるものであるから、柱部１９を切断して長さを調整することによって、さまざまな蹴上げ高に対応することができ、収まりもよく、必要最小限の部材によって構成されるので、材料や製造のコストを削減することができる。長さ調整後の柱部１９に対しても上部固定部１７と下部踏板２ｂとは連結することができるので、無駄になることがない。
【００５１】
上部固定部１７と下部固定部１８には、それぞれ柱部１９に差し込み連結する連結部２５、２８と、上部踏板２ａの上面と下部踏板２ｂの下面とに当接する当接部２４、２６とを設けたから、支持部材１６は踏板２の内側に納まり、外側方に突出することがないので、外観がすっきりする。
【００５２】
次に、下部固定部１８の当接部には、下部踏板２ｂの基部の端面に当接する垂直当接部２７を形成し、該垂直当接部２７を下部踏板２ｂの基部の端面にビスを介して固定したので、支持部材１６の位置決めを容易確実に行うことができるとともに、桁１の裏側で垂直当接部１２から下部踏板２ｂの基部の端面に向けてビス７ｂを矢印ｑで示すように水平に打ち込んで固定することができるので、支持部材の固定作業を容易に行うことができる。
【００５３】
また、上部固定部１７の当接部２４を上部踏板２ａの前端部に沿わせ、上部踏板２ａに当接部を固定するビスを上部踏板２ａの先端部の近傍に打ち込むので、狭い場所でも容易に施工でき、踏板２に手摺３のプレートがあるような場合でも、プレートに干渉するようなことがない。
【００５４】
さらに、支持部材１６は、上部踏板２ａと下部踏板２ｂの長手方向の少なくとも一側部に配置されているので、下部踏板２ｂの踏み面の中央部側に足を乗せたときに、足先に支持部材１６がぶつかるおそれはほとんどない。したがって、安全に上り下りすることができる。
【００５５】
また、支持部材１６の上部固定部１７と下部固定部１８と柱部１９とを互いに個別に構成するとともに、柱部１９をアルミニウムの押出型材としたので、上下部の踏板２ａ、２ｂ間の支持強度を確保することができるとともに、柱部１９は切り詰め加工しやすく、柱部１９の長さ調整を容易に行うことができる。
【００５６】
支持部材１６を略コ字状に形成したので、柱部１９を上下部の踏板２の端部にラインが揃った状態で配置することができ、意匠性がよい。
【００５７】
上部固定部１７の当接部２４のビス挿通孔２１、２２は、上側が上部踏板２ａの先端部に近く、下側が当該先端部から遠くなるように斜めに形成されているので、ビス７ａをビス挿通孔２１に挿通させる場合、階段の下側（裏側）から矢印ｐで示すように斜めに挿通させることができ、ビス止め作業を容易に行うことができる。
【００５８】
なお、本発明に係る階段の実施態様は下曲りタイプのものに限定されない。図９（ａ）（ｂ）に示すストレートタイプの階段にも適用することができるのはもちろんである。同図に示す符号で示す部材は、前述に示した部材と同じものを示している。この場合、最下部の踏板２と床面６との間にも上記支持部材と同じ構成の支持部材１６が配置されている。これにより、全ての踏板がストレートに配置され、最下部の踏板２と床面６との間にも支持部材１６が設けられているので、１つの踏板２に加わる荷重はその上下方の全ての支持部材１６に分散して支持され、上下の踏板間の強度を十分に確保することができる。
【００５９】
また、支持部材も上述のものに限定されない。例えば、下部固定部１８を上部固定部１７と同じ構成とし、柱部の上端と下端に上部固定部１７と同じ固定部を連結するものであってもよい。この場合、図９（ａ）（ｂ）に示すタイプの階段において、最下部の支持部材１６に適用することができる。床面６に当接する下部固定部（１８）は上部固定部（１７）と同じとなるので、上部固定部は下部固定部を兼用することができ、床面６に当接するために特別の部材を製作する必要がない。
【００６０】
さらに、支持部材１６の数は限定されない。複数個あればよい。また、その位置も踏み板２の中央よりも端部側にあればよく、端部に限定されない。
【符号の説明】
【００６１】
１    桁
２    踏板
２ａ  上部踏板
２ｂ  下部踏板
１６  支持部材
１７  上部固定部
１８  下部固定部
１９  柱部
２１、２２  ビス挿通孔
２４、２６  当接部
２７  垂直当接部
２５、２８  連結部
【図１】
0005625161.tif 000002
【図２】
0005625161.tif 000003
【図３】
0005625161.tif 000004
【図４】
0005625161.tif 000005
【図５】
0005625161.tif 000006
【図６】
0005625161.tif 000007
【図７】
0005625161.tif 000008
【図８】
0005625161.tif 000009
【図９】
0005625161.tif 000010